(57)【要約】【課題】観察角度によって潜像模様が視認され、かつ、潜像画像に動画的な視覚効果有する潜像印刷物を提供する。【解決手段】基材上に、第１の画像と第２の画像を重ね合せて配置し、視認角度によって第１の画像と第２の画像が干渉したモアレ模様を視認することができる潜像印刷物において、第１の画像は、第１の方向で、かつ、同一の圧縮率により圧縮され、基材に対する凹形状又は凸形状から成る第１の要素を、所定のピッチにより第１の方向に複数配列して形成された第１の領域を一つ以上配置して成り、第２の画像は、画像領域内に、光輝性材料により形成された第２の要素を、第１の要素を配列する所定のピッチと異なる規則的なピッチにより第１の方向と同一の方向に複数配列して形成されて成り、第１の画像を形成する第１の要素に対し、第２の画像を形成する第２の要素を平行に印刷したことを特徴とする潜像印刷物である。【選択図】  図１
2010179581.tif 000002
【特許請求の範囲】
【請求項１】
基材上に、第１の画像と、前記第１の画像上に、前記第１の画像と異なる画像から成る第２の画像を重ね合せて配置した画像領域を有し、
前記第１の画像は、第１の方向で、かつ、同一の圧縮率により圧縮され、基材に対する凹形状又は凸形状から成る第１の要素を、第１のピッチにより前記第１の方向に複数配列して形成された第１の領域を一つ以上配置して成り、
前記第２の画像は、前記画像領域内に、光輝性材料により形成された第２の要素を、前記第１の要素を配列する第１のピッチと異なる第２のピッチにより前記第１の方向と同一の方向に複数配列して形成されて成り、前記第１の画像を形成する前記第１の要素に対し、前記第２の画像を形成する前記第２の要素を平行又は略平行に印刷したことを特徴とする潜像印刷物。
【請求項２】
前記第１の要素は、画線、網点群又は画素群により形成された文字及び／又は記号であることを特徴とする請求項１記載の潜像印刷物。
【請求項３】
前記第２の要素を配列する第２のピッチは、前記第１の要素を配列する第１のピッチを１００％とした場合、１００％を除く８０％以上１２０％以下のピッチであることを特徴とする請求項１又は請求項２記載の潜像印刷物。
【請求項４】
前記第１の画像は、前記第１の領域がｍ個以上（ｍは、２以上の整数）配置され、
それぞれの前記第１の領域を、前記第１の方向に対し、垂直方向に順次配置して形成したことを特徴とする請求項１乃至３のいずれか１項記載の潜像印刷物。
【請求項５】
前記第２の画像は、前記第２の要素の面積率の差により、前記画像領域内に模様領域と背景領域に区分けされていることを特徴とする請求項１乃至４のいずれか１項記載の潜像印刷物。
【請求項６】
前記第２の要素は、画線、網点群又は画素群であることを特徴とする請求項１乃至５のいずれか１項記載の潜像印刷物。
【請求項７】
前記第１の画像は、透かしにより形成された凹状の形状、エンボスにより形成された凹状若しくは凸状の形状又は透明インキ若しくは基材と同色のインキにより形成された凸状の形状のいずれかにより形成された凹凸から成る画像であることを特徴とする請求項１乃至６のいずれか１項記載の潜像印刷物。
【請求項８】
前記第１の画像における凹状の深さ又は凸状の高さは、１μｍ以上５０μｍ以下の範囲内であることを特徴とする請求項１乃至７のいずれか１項記載の潜像印刷物。
【請求項９】
前記光輝性材料は、虹彩色パール顔料、鱗片状顔料、鱗片状マイカ顔料、鱗片状金属顔料、ガラスフレーク顔料又はコレステリック液晶顔料から選択される少なくとも一つを含むことを特徴とする請求項１乃至８のいずれか１項記載の潜像印刷物。
【発明の詳細な説明】
【技術分野】
【０００１】
本発明は、光が入射することで、奥行き感のあるモアレ模様が出現し、加えて光の入射角度の変化に応じてモアレ模様に動きが生じる、動画的な視覚効果を備えた潜像印刷物に関する。
【背景技術】
【０００２】
銀行券、諸証券及び郵券等のセキュリティ要素が必要な印刷物には、偽造を抑止するために、真性品と偽造品を区別するための真偽判別要素の付与が不可欠である。また、付与する真偽判別要素は、特別な道具を必要とすることなく、自然光によって万人が真偽判別することができる要素であることが望まれる。
【０００３】
前述の自然光で真偽判別が可能な真偽判別要素の一例としては、日本銀行券に施されているパール印刷、すき入れ又は潜像模様等が挙げられる。これらは、対面販売のような一般的な物品とセキュリティ印刷物との交換時に、ユーザが真偽を目視で判断することができる要素として付与されており、すき入れのように特定の条件下でのみ、それまで観察することができなかった画像（潜像）が出現するもの、パール印刷のように観察角度に応じて画像に付与された色彩が変化するもの等、様々な種類のものが存在する。
【０００４】
それら、様々な種類の真偽判別要素の中でも、基材の凹凸を利用して形成する潜像模様は、正対して観察した場合には、潜像画像が視認されず、基材を傾けることで潜像画像が出現する効果を有しているため、カラーコピーやプリンターを用いた単純な複製による再現は不可能である。
【０００５】
本出願人は、すき入れや凹版印刷又はエンボス等によって形成した凹凸と印刷画線を重ね合わせて印刷し、当該印刷物を傾けることで潜像が出現する潜像印刷物に係る発明を出願している（例えば、特許文献１及び特許文献２参照）。
【０００６】
また、基材上に凹凸を形成し、かつ、その上に第１コーティングと第２コーティングの二つのコーティングを施し、第２コーティングは、光学可変構造体を備えることを特徴としたデータ担体が出願されている（例えば、特許文献３参照）。
【０００７】
また、有色インキで印刷した画線状の第１のパターンと、凹凸を成す画素で構成した第２のパターンと、所定の反射角度でのみ視認されるインキで印刷された第３のパターンを形成し、第１のパターンの画線に直交する方向から印刷面を傾けて観察した時に印刷面との成す観察角度が小さい順に、第３のパターン、第２のパターンが視認される潜像パターンを有する印刷物が出願されている（特許文献４参照）。
【０００８】
また、本出願人は、光沢を有し、所定のピッチにより配列した凸形状から成る第１の画像の上に、第１の画像と異なる光沢の材料によって、第１の画像と異なるピッチにより構成した第２の画像を重ね合わせて印刷し、当該印刷物に光を入射させた場合に立体的なモアレが視認され、かつ、印刷物を傾けて光の入射角度を変化させた場合にモアレが動いて見えるモアレ形成体を構成する技術について出願している(例えば、特許文献５参照)。
【先行技術文献】
【特許文献】
【０００９】
【特許文献１】特許２６１５４０１号公報
【特許文献２】特許２６０００９４号公報
【特許文献３】特表２００５−５３５４８５号公報
【特許文献４】特許３７８９８７４号公報
【特許文献５】特開２００７−２２３３０８号公報
【発明の概要】
【発明が解決しようとする課題】
【００１０】
特許文献１及び特許文献２に記載の技術は、すき入れや凹版印刷等で形成した凹凸構造に対して、平行な印刷画線を重ね合わせる技術であり、凹凸の高さが高ければ高いほど潜像を観察することができる角度を浅くすることができる。しかし、印刷物の流通適性や堅牢性等を考慮すると、基材に形成して良い凹凸の高さには限界があり、これらの限界を考慮して印刷物を形成すると、少なくとも７０度以上は傾けなければ、潜像を観察することが不可能となる。
【００１１】
したがって、特許文献１及び特許文献２に記載の技術が付与されたセキュリティ印刷物の真偽を判定するに当たっては、潜像を視認するために印刷物を深く傾けて観察する必要が生じる。そのため、真偽判別を行う動作が大きくなることから、真正品であるかの判別を行っていることが、居合わせた人に察知されることとなる。対面販売においては、代金として手渡された紙幣は、顧客の目の前で迅速に真偽判別を行う必要があるが、自分の渡した紙幣が真偽判別の対象となっていることを知った場合、顧客の心象は良いものではない。よって、真偽判別自体は、極力さりげない動作で行えることが、より好ましいと考えられ、その場合、潜像の認証角度が深いということが問題となる。
【００１２】
特許文献３及び特許文献４に記載の技術は、特許文献１及び特許文献２に記載の技術を補強することを意図したもので、傾ける角度が凹凸による潜像を観察することができる角度に達するまでは、光学的可変構造体や特定の反射角度でのみ視認されるインキによって形成した、異なる画像を視認させることによって、浅い傾け角度においても真偽判別機能を補完するものである。この場合、光学的可変構造体や特定の反射角度でのみ視認されるインキには、パールインキや高光沢なインキ等が使用される。
【００１３】
パールインキや高光沢なインキ等で形成した画像は、印刷物に光を入射させることで、その画像を可視化及び色変化を生じさせることが可能である。よって、真偽判別のためには、印刷物に光を入射させて、わずかに傾ければ良く、その場合の認証角度は、多くの場合、浅い角度で良い。以上のように、特許文献３及び特許文献４に記載の技術においては、潜像を認証するために深く傾けなくても良いという特徴を有する。
【００１４】
しかしながら、この二つの技術は、凹凸を形成した後、第１のパターン（又は第１のコーティング）及び第３のパターン（又は第２のコーティング）を形成する必要があり、少なくとも二つの異なるインキ及び二つの印刷版面を用いて形成する必要がある。また、第１のパターン（又は第１のコーティング）は、オフセット印刷で可能であっても、第３のパターン（又は第２のコーティング）を形成する光学的可変構造体や特定の反射角度でのみ視認されるインキの効果を高めて付与したい場合には、オフセット印刷では充分でない場合が多く、グラビア印刷方式やスクリーン印刷方式又は凹版印刷方式であることが望ましい。以上のことから、第１のパターン（又は第１のコーティング）及び第３のパターン（又は第２のコーティング）を形成する印刷方式自体も、異なった印刷方式を要求する場合が多い。
【００１５】
よって、特許文献３及び特許文献４に記載の技術は、特許文献１及び特許文献２に記載の技術と比較すると、多色印刷で形成する必要があり、印刷工程が複雑になるという問題が生じる。
【００１６】
特許文献５の技術は、印刷物に光を入射させて、わずかに傾けた状態で潜像（立体モアレ）を視認することが可能である。また、構成についても光沢を有し、凹凸を成す第１の画像の上に、第１の画像とは異なる光沢の第２の画像を重ね合せて形成すれば良く、第１の画像の印刷と第２の画像の印刷のわずか２回刷りで形成することができるという特徴を有している。しかし、特許文献５記載の技術は、印刷物を７０度以上の深い角度に傾けた場合に、潜像を視認することができないという問題がある。また、特許文献５記載の技術は、多方向からの入射光の強い環境と入射光の弱い環境では、浅い観察角度で潜像を視認することが不可能となるため、真偽判別機能が失われる場合があるという問題があった。
【００１７】
本発明は、上記課題の解決を目的とするものであり、記号やマークを特定方向に圧縮して特定のピッチで繰り返し、並べて形成した凹凸構造を成す潜像画像の上に、光輝性材料を含むインキで形成した画線を重ね合わせて形成することで、浅い観察角度と深い観察角度の両方で視認することができるモアレ模様を形成するものであり、かつ、極めて単純な印刷工程で形成することができる潜像印刷物を提供することを目的とする。
【課題を解決するための手段】
【００１８】
本発明は、基材上に、第１の画像と、第１の画像上に、第１の画像と異なる画像から成る第２の画像を重ね合せて配置した画像領域を有し、第１の画像は、第１の方向で、かつ、同一の圧縮率により圧縮され、基材に対する凹形状又は凸形状から成る第１の要素を、第１のピッチにより第１の方向に複数配列して形成された第１の領域を一つ以上配置して成り、第２の画像は、画像領域内に、光輝性材料により形成された第２の要素を、第１の要素を配列する第１のピッチと異なる第２のピッチにより第１の方向と同一の方向に複数配列して形成されて成り、第１の画像を形成する第１の要素に対し、第２の画像を形成する第２の要素を平行又は略平行に印刷したことを特徴とする潜像印刷物である。
【００１９】
本発明は、第１の要素が、画線、網点群又は画素群により形成された文字及び／又は記号であることを特徴とする潜像印刷物である。
【００２０】
本発明は、第２の要素を配列する第２のピッチは、第１の要素を配列する第１のピッチを１００％とした場合、１００％を除く８０％以上１２０％以下のピッチであることを特徴とする潜像印刷物である。
【００２１】
本発明は、第１の画像が、第１の領域がｍ個以上（ｍは、２以上の整数）配置され、それぞれの第１の領域を、第１の方向に対し、垂直方向に順次配置して形成したことを特徴とする潜像印刷物である。
【００２２】
本発明は、第２の画像が、第２の要素における面積率の差により、画像領域内に模様領域と背景領域に区分けされていることを特徴とする潜像印刷物である。
【００２３】
本発明は、第２の要素が、画線、網点群又は画素群であることを特徴とする潜像印刷物である。
【００２４】
本発明は、第１の画像が、透かしにより形成された凹状の形状、エンボスにより形成された凹状若しくは凸状の形状又は透明インキ若しくは基材と略同色のインキにより形成された凸状の形状のいずれかにより形成された凹凸から成る画像であることを特徴とする潜像印刷物である。
【００２５】
本発明は、第１の画像における凹状の深さ又は凸状の高さが、１μｍ以上５０μｍ以下の範囲内であることを特徴とする潜像印刷物である。
【００２６】
本発明は、光輝性材料が、虹彩色パール顔料、鱗片状顔料、鱗片状マイカ顔料、鱗片状金属顔料、ガラスフレーク顔料又はコレステリック液晶顔料から選択される少なくとも一つを含むことを特徴とする潜像印刷物である。
【発明の効果】
【００２７】
本発明における潜像印刷物は、わずかな蛍光灯や自然光を当てるだけで、第１の画像と第２の画像の干渉模様であるモアレ模様を、極めて浅い観察角度と深い観察角度の両方において視認することができる。
【００２８】
また、本発明における潜像印刷物は、基材表面に凹凸構造を形成した後に、光輝性材料を重ねて印刷するために厳密な刷り合わせを必要とせず、簡単な印刷工程により形成することができる。
【図面の簡単な説明】
【００２９】
【図１】本発明の潜像印刷物（１）の平面図
【図２】本発明の潜像印刷物（１）の第１の画像（４）を示す平面図
【図３】本発明の潜像印刷物（１）の第１の画像（４）を形成する一例を示す平面図
【図４】本発明の潜像印刷物（１）の第１の画像（４）を形成する一例を示す平面図
【図５】本発明の潜像印刷物（１）の第２の画像（５）を示す平面図
【図６】本発明の潜像印刷物（１）の第２の画像（５）を形成する一例を示す平面図
【図７】本発明の潜像印刷物（１）の第２の画像（５）の一例を示す平面図
【図８】本発明の潜像印刷物（１）の第２の画像（５）を形成する一例を示す平面図
【図９】本発明の潜像印刷物（１）の実施形態を示す平面図
【図１０】本発明の潜像印刷物（１）のモアレの原理示す平面図
【図１１】本発明の潜像印刷物（１）のモアレの原理示す平面図
【図１２】本発明の潜像印刷物（１）のモアレの原理示す平面図
【図１３】本発明の潜像印刷物（１）のモアレの原理示す平面図
【図１４】本発明の潜像印刷物（１）のモアレの原理示す平面図
【図１５】本発明の潜像印刷物（１）のモアレの原理示す平面図
【図１６】本発明の潜像印刷物（１’）を示す平面図
【図１７】本発明の潜像印刷物（１’）の第１の画像（４’）を示す平面図
【図１８】本発明の潜像印刷物（１’）の第１の画像（４’）の一例を示す平面図
【図１９】本発明の潜像印刷物（１’）の第２の画像（５’）を示す平面図
【図２０】本発明の潜像印刷物（１’）の実施形態を示す平面図
【図２１】本発明の潜像印刷物（１’）の観察図
【図２２】本発明の潜像印刷物（１’）のモアレの動く原理を示す平面図
【図２３】本発明の潜像印刷物（１’）のモアレの遠近感が異なる効果を示す平面図
【図２４】本発明の潜像印刷物（１’’）を示す平面図
【図２５】本発明の潜像印刷物（１’’）の第１の画像（４’’）を示す平面図
【図２６】本発明の潜像印刷物（１’’）の第２の画像（５’’）を示す平面図
【図２７】本発明の潜像印刷物（１’’）の実施形態を示す平面図
【図２８】本発明の潜像印刷物（１’’）の観察図
【図２９】本発明の潜像印刷物（１’’’）を示す平面図
【図３０】本発明の潜像印刷物（１’’’）の第１の画像（４’’’）を示す平面図
【図３１】本発明の潜像印刷物（１’’’）の第２の画像（５’’’）を示す平面図
【図３２】本発明の潜像印刷物（１’’’）の実施形態を示す平面図
【図３３】本発明の潜像印刷物（１’’’）の観察図
【図３４】本発明の潜像印刷物（１’’’’）の平面図
【図３５】本発明の潜像印刷物（１’’’’）の実施形態を示す平面図
【図３６】本発明の潜像印刷物（１’’’’）の観察図
【発明を実施するための形態】
【００３０】
本発明を実施するための最良の形態について図面を参照して説明する。しかしながら、本発明は、以下に述べる実施するための最良の形態に限定されるものではなく、特許請求の範囲記載における技術的思想の範囲内であれば、その他のいろいろな実施の形態が含まれる。
【００３１】
図１（ａ）は、本発明における潜像印刷物（１）の一例である。図１（ａ）に示すように、潜像印刷物（１）は、基材（２）上に画像領域（３）を有している。なお、画像領域（３）は、基材に対する凹状又は凸状により形成された、図１（ｂ）に示す第１の画像（４）上に、光輝性材料により形成された図１（ｃ）に示す第２の画像（５）を印刷することにより形成されている。
【００３２】
図２は、第１の画像（４）を説明するための図である。図２（ａ）に示すように、本例における第１の画像（４）は、画像領域（３）内に凹状又は凸状の文字又は記号から成る第１の要素（Ａ１）を第１の方向として水平方向に第１のピッチ（Ｐ１）により複数配列して形成された第１の領域（４ａ）により構成されている。第１の画像（４）は、基材に対する凹状の画線又は凸状の画線、凹状の網点又は凸状の網点及び凹状の画素又は凸状の画素（以下、「凹状又は凸状の画線等」という。）から成る幅（ＴＡ）の第１の要素（Ａ１）を複数配列して形成される。
【００３３】
第１の領域（４ａ）は、第１の要素（Ａ１）を同一の方向で、かつ、同一ピッチにより複数配列して形成される。また、第１の要素（Ａ１）は、図２（ｂ）に示すように、第１の文字（Ｍ１）であるアルファベットの「Ａ」の文字を、第１の方向として水平方向に同一の圧縮率により、幅（ＴＡ１）に圧縮することで形成した縦長の「Ａ」の文字である。なお、第１の要素（Ａ１）は、同一の方向で、かつ、同一の圧縮率により圧縮された文字又は記号であれば、特に限定されず、アルファベット、数字、漢字等を用いることができる。なお、第１の要素（Ａ１）の幅（ＴＡ１）は、後述する第２の画像を形成する第２の要素の構成によって決定される。
【００３４】
また、第１の画像（４）を形成する第１の要素（Ａ１）である凹状又は凸状の文字又は記号は、基材上又は基材自体に形成することができる。基材上に形成される凸状の画線、凸状の網点又は凸状の画素としては、凹版印刷又はスクリーン印刷等の印刷法によるインキで形成された凸状の画線、凸状の網点又は凸状の画素がある。基材自体に直接形成された凹状の画線、凹状の網点又は凹状の画素としては、すき入れ、エンボス加工（基材のプレス加工、ＹＡＧレーザ又は炭酸ガスレーザ等のレーザ加工技術等の形成を含む。）がある。また、凹版印刷やスクリーン印刷等の印刷法により凸状の画線、凸状の網点又は凸状の画素を形成する場合には、透明なインキ、半透明なインキ又は基材と略等しい色のインキを使用する。凸状の画線、凸状の網点又は凸状の画素により形成された第１の画像（４）を視認不可能な構成とするためである。なお、凹状又は凸状の画線等の凹状の深さ又は凸状の高さは、１μｍ以上５０μｍ以下である。凹状の深さ又は凸状の高さが１μｍ未満の場合は、第１の画像（４）が視認しにくいからである。凹状の深さ又は凸状の高さが５０μｍを超した場合は、後述する第２の画像を印刷するインキが付与しにくいからである。
【００３５】
本形態において、第１の領域（４ａ）は、基材に対する凹状の画線又は凸状の画線で、かつ、水平方向に圧縮された文字を第１の要素（Ａ１）として形成しているが、凹状の網点又は凸状の網点、凹状の画素又は凸状の画素により形成した文字、記号を第１の要素（Ａ１）として使用することもできる。凹状の網点又は凸状の網点、凹状の画素又は凸状の画素により第１の要素（Ａ１）を形成する場合についての一例を図３により説明する。図３（ａ）に示すように、凹状の網点又は凸状の網点により形成する場合は、第１の網点（ＨＡ１）により第１の文字（ａ’１）として文字又は記号を形成し、第１の文字（ａ’１）を第１の方向に同一の圧縮率により幅（ＴＡ１）に圧縮して第１の要素（Ａ１）を作製する。次に、第１の要素（Ａ１）を第１の方向で、かつ、所定のピッチ（Ｐ）に複数配置して第１の領域（４ａ）を形成する。また、図３（ｂ）に示すように、凹状の画素又は凸状の画素により形成する場合は、第１の画素（ＰＡ１）により第１の文字（ａ’１）として文字及び記号を形成し、第１の文字（ａ’１）を第１の方向に同一の圧縮率により幅（ＴＡ１）に圧縮して第１の要素（Ａ１）を作製する。次に、第１の要素（Ａ１）を第１の方向で、かつ、所定のピッチ（Ｐ）に複数配置して第１の領域（４ａ）を形成する。なお、網点又は画素により形成する場合は、網点（ＨＡ１）同士若しくは画素（ＰＡ１）同士が重なり合わないようにするか又は各網点若しくは画素の間隔をあまり空けないようにピッチを調整する。網点（ＨＡ１）同士若しくは画素（ＰＡ１）同士が重なり合う場合又は間隔が大きい場合は、視認性が欠けるからである。
【００３６】
また、図４に示すように、第１の画像（４）を形成する第１の領域（４ａ）は、ｍ個（ｍは、整数）を設けることができる。複数の第１の領域（４ａ）を形成する場合は、各第１の領域（４ａ）を垂直方向に順次配置して形成する。なお、好ましいのは、各第１の領域（４ａ）を垂直方向で、かつ、隣接して配置して形成する。垂直方向に隣接して配置するのは、モアレ画像を明確に発現させるためである。なお、第１の領域（４ａ）が２個以上存在する場合は、第１−ｍの領域（４ａ―ｍ）と表現して説明する。
【００３７】
また、基材（２）は、用紙に限定するものではなく、プラスチックカード等の凹凸を形成することができれば良く、基材色も白色に限定されるものではない。
【００３８】
図５（ａ）に示した第２の画像（５）は、スリット模様により構成されている。  図５（ｂ）の拡大図に示すように、スリット模様から成る第２の画像（５）は、第２のピッチ（Ｐ２）、画線幅（ＴＢ１）から成る第２の要素（Ｂ１）を第１の方向に複数配置することにより形成されている。第２の画像（５）を形成する第２の要素（Ｂ１）の第２のピッチ（Ｐ２）は、第１の画像（４）を形成する第１の要素（Ａ１）の第１のピッチ（Ｐ１）と同じであってはならず、第２のピッチ（Ｐ２）の大きさは、第１のピッチ（Ｐ１）に対して８０〜１２０％（１００％を除く）程度の差異が必要である。１００％を除くのは、第１のピッチと第２のピッチの大きさが同一の場合は、モアレが生じないからである。また、８０％未満の場合及び１２０％以上の場合は、モアレ模様の動きが緩慢となり、視認性に欠けるからである。なお、画線幅（ＴＢ１）は、第１の要素（Ａ１）の構成によって決定される。
【００３９】
本形態において、第２の画像（５）は、画線により構成しているが、網点又は画素等により形成することもできる。例えば、網点により構成する場合は、図６（ａ）に示すように、第２の網点（ＨＢ１）を、同一の方向で、かつ、所定のピッチ（Ｐ）により複数配置し、第２の網点（ＨＢ１）を複数配置した第２の網点群（Ｈ’Ｂ１）を第２の要素（Ｂ１）とする。次に、第２の網点群（Ｈ’Ｂ１）から成る第２の要素（Ｂ１）を、同一の方向で、かつ、同一ピッチ（Ｐ）により複数配置し、模様領域（５ａ）を形成する。また、画素により構成する場合は、図６（ｂ）に示すように、第２の画素（ＥＢ１）を、同一の方向で、かつ、所定のピッチ（Ｐ）により複数配置し、第２の画素（ＥＢ１）を複数配置した第２の画素群（Ｅ’Ｂ１）を第２の要素（Ｂ１）とする。次に、第２の画素群（Ｅ’Ｂ１）から成る第２の要素（Ｂ１）を、同一の方向で、かつ、同一ピッチにより複数配置し、模様領域を形成する。
【００４０】
また、本形態において、第２の画像（５）は、スリット模様により形成されているが、図７に示すように、有意画像として形成することもできる。図７（ａ）に示した第２の画像（５）は、「桜」から成る模様領域（５ａ）と、「桜」の周囲を形成した背景領域（５ｂ）から成る。図７（ｂ）の拡大図に示すように、「桜」から成る模様領域（５ａ）は、第２のピッチ（ＰＢ１）、画線幅（ＴＢ１）の画線から成る第２の要素（Ｂ１）を使用し、第１の方向として垂直方向に第２の要素（Ｂ１）を複数配置して形成した。一方、背景領域（５ｂ）は、第２のピッチ（ＰＢ１）、画線幅（ＴＢ２）の画線から成る第２の要素（Ｂ２）を使用し、第１の方向として垂直方向に第２の要素（Ｂ２）を複数配置して形成した。なお、第２の画像（５）に模様領域（５ａ）と背景領域（５ｂ）を形成する場合は、面積率に差を持たせた第２の要素（Ｂ１、Ｂ２）を、配列方向を同一で、かつ、同一のピッチにより複数配列して形成する。なお、本明細書における面積率とは、基材上に一定の面積を有する印刷画像等において、基材等の下地を被覆しうる印刷画像等の割合を％で表した条件をいう。
【００４１】
また、第２の画像（５）を形成する有意画像は、網点又は画素等により形成することもできる。例えば、網点により構成する場合は、図８（ａ）に示すように、互いに網点の面積率の異なる第２の網点（ＨＢ１）と第２の網点（ＨＢ２）を使用し、第２の網点（ＨＢ１）と第２の網点（ＨＢ２）を互いに、同一の方向で、かつ、所定のピッチ（Ｐ）により複数配置し、第２の網点（ＨＢ１）を複数配置した第２の網点群（Ｈ’Ｂ１）を第２の要素（Ｂ１）とし、第２の網点（ＨＢ２）を複数配置した第２の網点群（Ｈ’Ｂ２）群を第２の要素（Ｂ２）とする。次に、第２の網点群（Ｈ’Ｂ１）から成る第２の要素（Ｂ１）と第２の網点群（Ｈ’Ｂ２）から成る第２の要素（Ｂ２）を、同一の方向で、かつ、同一ピッチ（Ｐ）により複数配置し、模様領域（５ａ）と背景領域（５ｂ）をそれぞれ形成する。また、画素の面積率の差により構成する場合は、図８（ｂ）に示すように、互いに画素の面積率の異なる第２の画素（ＥＢ１）と第２の画素（ＥＢ２）を使用し、第２の画素（ＥＢ１）と第２の画素（ＥＢ２）を互いに、同一の方向で、かつ、所定のピッチ（Ｐ）により複数配置し、第２の画素（ＥＢ１）を複数配置した第２の画素群（Ｅ’Ｂ１）を第２の要素（Ｂ１）とし、第２の画素（ＥＢ２）を複数配置した第２の画素群（Ｅ’Ｂ２）を第２の要素（Ｂ２）とする。次に、第２の画素群（Ｅ’Ｂ１）から成る第２の要素（Ｂ１）と第２の画素群（Ｅ’Ｂ２）から成る第２の要素（Ｂ２）を、同一の方向、かつ、同一ピッチにより複数配置し、模様領域（５ａ）と背景領域（５ｂ）をそれぞれ形成する。
【００４２】
第２の画像（５）を形成するためのインキは、光輝性材料を含むインキで形成する。光輝性材料を含むインキとしては、金インキや銀インキ等のメタリックインキ又は虹彩色パール顔料、鱗片状顔料、鱗片状マイカ、鱗片状金属顔料、ガラスフレーク顔料、コレステリック液晶顔料等を含むインキであれば良い。なお、インキの色は、図７に示すような、第２の画像（５）を有意画像として構成する場合に限り、基材とは異なる物体色を有していることが望ましい。第１の画像と第２の画像の干渉により生じるモアレの効果を明確にするためである。なお、第２の画像（５）を第１の画像（４）上へ形成する印刷方式は、オフセット印刷、凸版印刷、フレキソ印刷、グラビア印刷、スクリーン印刷、凹版印刷等、いずれの印刷方式で形成してもよい。
【００４３】
図９は、本形態における第２の画像（５）を第１の画像（４）上へ形成する一例図である。図９（ａ）に示すように、第２の画像（５）の第１の画像（４）上への印刷は、第１の画像（４）を形成する第１の要素（Ａ１）である凹状又は凸状の画線等に対し、第２の画像を形成する第２の要素（Ｂ１）の画線等を平行又は略平行に印刷する。なお、略平行とは、図９（ｂ）に示すように、第１の要素（Ａ１）である凹状又は凸状の画線等に対し、第２の画像を形成する第２の要素（Ｂ１）が１度から５度までである。５度以上の場合は、潜像画像の視認性が低下するからである。
【００４４】
図１０（ａ）は、図９により印刷された本発明の潜像印刷物（１）の正面図である。第１の画像（４）を形成する第１の要素（Ａ１）の第１のピッチ（Ｐ１）と、第２の画像（５）を形成する第２の要素（Ｂ１）の第２のピッチ（Ｐ２）は、第１のピッチ（Ｐ１）の８０〜１２０％（１００％を除く。）程度の大きさである。図１０（ａ）におけるＡ−Ａ’の断面図である図１０（ｂ）に示すように、第１の画像（４）の凹形状又は凸形状と第２の画像（５）の画線とは、特定の位置（Ｘ１）を基準に考えると右方向又は左方向にいくに従ってずれが生じ始め、徐々に大きなずれとなり、最終的には、また同じ位置関係に戻るという周期性を有する関係で構成されている。その周期を（ｓ）とすると第１のピッチ（Ｐ１）と第２のピッチ（Ｐ２）の間には、ｓ＝Ｐ１×Ｐ２／｜Ｐ１−Ｐ２｜の関係が成り立つ。この周期（ｓ）は、図１０（ｃ）に示すように、本発明の潜像印刷物中に現れるモアレ画像（６）のモアレ文字（６ａ）の幅（ｓ）となって現れる。
【００４５】
上記のような構成で第１の画像（４）の上に第２の画像（５）を重ねて形成することで、図１１（ａ）に示すような拡散反射光が支配的な観察角度領域（光の入射角度と受光角度が大きく異なる観察角度領域、以下「拡散反射光領域」という。）では、第２の画像（５）のみが観察されるか、又は光輝性材料を含むインキが透明なインキであれば、完全に不可視で基材のみが観察される。また、図１１（ｂ）に示すような正反射光が支配的な観察角度領域（光の入射角度と受光角度が略等しい観察角度領域、以下「正反射光領域」という。）では、第１の画像（４）と第２の画像（５）の干渉によるモアレ画像（６）のモアレ文字（６ａ）としてアルファベットの「Ａ」の文字が観察される。
【００４６】
正反射光領域において大きなアルファベットの「Ａ」の文字が現れる原理について説明するに当たり、まず、第１の画像（４）と第２の画像（５）が干渉することで、大きなアルファベットのＡを視認することができるというモアレの原理について、図１２を用いて説明する。まず、図１２（ａ）は、潜像印刷物（１）中にアルファベットのＡの文字が出現した場合の正面図である。図１２（ｂ）は、その場合の潜像印刷物（１）の断面図である。潜像印刷物（１）の画像領域（３）は、第１の画像（４）と第２の画像（５）とが重なり合って形成されているが、第１の画像（４）の第１のピッチ（Ｐ１）と第２の画像（５）の第２のピッチ（Ｐ２）とは、わずかに異なっている。ゆえに、図１２（ｂ）に示すように、第１の画像（４）と第２の画像（５）の位置関係は、特定の周期性をもって規則的に徐々にずれる。このように位相のずれが生じている第１の画像（４）と第２の画像（５）が重なった部分の情報（７）を取り出して、順々に並べて正面から観察すると、図１２（ａ）に示すように第１の画像（４）を拡大したアルファベットのＡの情報が現れる。これがモアレの基本的な原理である。
【００４７】
以下、正反射光領域において、本発明の潜像印刷物（１）にモアレ模様が発生する原理について説明する。第２の画像（５）は、光輝性材料を含むインキで形成していることから、潜像印刷物に光が入射した場合には、第２の画像（５）が形成されている領域のみが光を強く反射する。また、第２の画像（５）の下に形成されている第１の画像（４）は、凹凸を有することから、第１の画像（４）の凹凸の情報は、第２の画像（５）が反射する光の強弱に影響を与える。すなわち、入射する光の角度に応じて凸部分は、光を強く反射したり、凹んだ部分は、光を弱く反射したりすることで光の凹凸に応じた光の強弱が生まれる。よって、第１の画像（４）の凹凸の情報が、第２の画像（５）が反射する光の強さに影響を与え、結果的に第１の画像（４）と第２の画像（５）の情報が干渉し合って、アルファベットのＡのモアレ模様が発現することとなる。
【００４８】
また、図１３の（ａ）から（ｃ）に示すように、正反射光領域の中で、潜像印刷物と観察角度を変化させながら観察すると、潜像印刷物中のモアレ模様であるＡの文字がゆっくりと第２の画像の第１の方向に直行する方向、すなわち右方向又は左方向に動いて見える。このモアレ模様の動画効果は、本発明の大きな特徴である。
【００４９】
このモアレ模様の動画効果が生じる原理について、図１４を用いて説明する。第１の画像（４）は、凹形状又は凸形状により形成されている。一方、第２の画像（５）は、一定の画線幅を有して形成されている。第２の画像（５）は、凹形状又は凸形状から成る第１の画像（４）に印刷されているため、表面は、少なくとも平らではなく、凹凸部分を有している。このような凹凸構造物の表面のうち、入射した光を強く反射する面は、入射した光と法線を成す角度の面である。よって、入射する光の角度（又は観察する観察者の位置）が変化すると、凹凸構造物の光を強く反射する表面は、それに応じて変化する。すなわち、図１４（ａ）に示すような光源（Ｋ）と視点（８）の位置関係で本発明の潜像印刷物（１）を観察した場合には、第２の画像の画線幅のうち相対的に左側に当たる画線が特に強く光り、図１４（ｂ）に示すような光源（Ｋ）と視点（８）の位置関係で本発明の潜像印刷物（１）を観察した場合には、第２の画像の画線の画線幅のうち、相対的に右側に当たる画線が特に強く光る。以上のような原理によって、第２の画像によってサンプリングされる第１の画像の位置が変化することで、アルファベットのＡの文字が動いて見える。以上が本発明の潜像印刷物（１）においてモアレ模様の動画効果が生じる原理である。
【００５０】
次に、本発明の潜像印刷物（１）を７０度以上傾けて拡散反射光領域において観察した場合に視認することができる画像を図１５に示す。深い傾け角度で観察した場合には、第１の画像（４）の凹凸構造による反射光の強弱と第２の画像（５）との干渉によって、モアレ画像（６）のモアレ文字（６ａ）であるアルファベットのＡの文字が出現する。アルファベットのＡが出現する原理は、前述したモアレの原理による。この場合、第２の画像（５）を光彩色パール顔料のような透明なインキで形成している場合でも光の反射率の違いによってモアレ画像は出現する。ただし、不透明なインキを使用した場合と比較して、この角度におけるモアレ画像の視認性は、低くなることから、モアレ画像を明確にする場合は、第２の画像（５）を着色するか否かを選択する必要がある。
【００５１】
以上のように、本発明の潜像印刷物（１）を正対して観察した場合には、第２の画像のみが観察されるか、又は無像として観察される。一方、光を反射させた場合には、モアレ模様が出現し、その状態からわずかに傾けるとモアレ模様が動いて観察され、深く傾けた場合には、モアレ模様が出現する効果を有する。
【００５２】
次に、本発明の潜像印刷物（１）の第１の画像（４）を形成する第１の領域（４’）が、２個である一例について説明する。本形態における潜像印刷物（１’）は、図１６（ａ）に示すように、基材（２’）上に画像領域（３’）を有している。画像領域（３’）は、図１６（ｂ）に示す第１の画像（４’）と、図１３（ｃ）に示す第２の画像（５’）により形成されている。
【００５３】
第１の画像（４’）は、図１７に示すように、第１−１の領域（４’ａ−１）と第１−２の領域（４’ａ−２）を有している。第１−１の領域（４’ａ―１）は、第１の文字（Ｍ’１）として「Ｊ」の文字を使用し、第１の文字（Ｍ’１）である「Ｊ」の文字を第一の方向として水平方向に同一の圧縮率で圧縮して形成した第１の要素（Ａ’１）を、第一の方向として水平方向で、かつ、同一の第１のピッチ（Ｐ１）により複数配列して形成している。一方、第１−２の領域（４’ａ−２）は、第１の文字（Ｍ’２）として鏡像（ミラー）反転した「Ｐ」の文字を使用し、第１の文字（Ｍ’２）であるミラー反転した「Ｐ」の文字を第一の方向として水平方向に同一の圧縮率で圧縮して形成した第１の要素（Ａ’２）を第一の方向として水平方向で、かつ、第３のピッチ（Ｐ３）により複数配列して形成している。また、第１−２の領域（４’ａ−２）は、第１−１の領域（４’ａ−１）に対し、垂直方向に順次配置する。なお、好ましいのは、各第１−ｍの領域（４’ａ−ｍ）を垂直方向で、かつ、隣接して配置して形成する。垂直方向に隣接して配置するのは、モアレ画像を明確に発現させるためである。
【００５４】
また、図１８に示すように、第１の画像（４’）は、文字及び／又は記号から成る第１の要素と、文字及び／又は記号の鏡像から成る第１の要素を複数配列して形成した第１の領域を交互に配置して形成することもできる。複数の第１−ｍの領域（４’ａ−ｍ）を形成する場合は、それぞれの第１−ｍの領域（４’ａ―ｍ）を、垂直方向に順次配置して形成する。なお、好ましいのは、各第１−ｍの領域（４’ａ−ｍ）を垂直方向で、かつ、隣接して配置して形成する。垂直方向に隣接して配置するのは、モアレ画像を明確に発現させるためである。
【００５５】
第１の画像（４’）は、無色透明なインキにより基材（２’）上に盛り上がりのある画線で直接形成した。また、本形態における第１のピッチ（Ｐ１）と第３のピッチ（Ｐ３）の関係は、第１のピッチ（Ｐ１）＜第３のピッチ（Ｐ３）であるが、第１のピッチ（Ｐ１）＞第３のピッチ（Ｐ３）又は第１のピッチ（Ｐ１）＝第３のピッチ（Ｐ３）でも良い。なお、「Ｐ」の文字をミラー反転させて形成している理由は、図１９に示す第２の画像（５’）の画線の配置ピッチよりも「Ｐ」の文字の配置ピッチが大きいためである。このような場合、干渉によって生じるモアレは、逆像となることから、あらかじめ画像をミラー反転させておく必要があるためである。
【００５６】
次に、第２の画像（５’）について、図１９により説明する。第２の画像（５’）は、光輝性材料を含有するインキを用い、画線幅（Ｔ’Ｂ１）の画線を第２の要素（Ｂ’１）とし、第２のピッチ（Ｐ２）により第１の方向として第２の要素（Ｂ’１）を平行に複数配列して形成した。第２の画像（５’）を形成する第２の要素（Ｂ’１）の配列方向は、第１の画像（４’）の各領域を形成する第１の要素（Ａ’１、Ａ’２）の配列方向と同一方向である。また、第２の画像（５’）を形成するピッチ（Ｐ２）の大きさは、第１の画像（４’）の各領域を形成する第１の要素（Ａ’１、Ａ’２）の各ピッチ（Ｐ１、Ｐ３）の８０％以上１２０％以下（１００％を除く。）の範囲内である。１００％を除くのは、第１のピッチと第２のピッチの大きさが同一の場合は、モアレが生じないからである。また、８０％未満の場合及び１２０％以上の場合は、モアレ模様の動きが緩慢となり、視認性に欠けるからである。なお、本例においては、第１のピッチ（Ｐ１）＜第２のピッチ（Ｐ２）＜第３のピッチ（Ｐ３）である。
【００５７】
第１の画像（４’）上への第２の画像（５’）の形成は、ＵＶ乾燥方式のスクリーン印刷によって、図２０（ａ）に示すように、第１の画像（４’）を形成する第１の要素（Ａ’１、Ａ’２）である凹状又は凸状の画線等の配列方向である第１の方向に対し、第２の画像を形成する第２の要素（Ｂ’１）の画線等を平行又は略平行に印刷し、図２０（ｂ）に示した潜像印刷物（１’）を得た。
【００５８】
図２１は、本実施例における潜像印刷物（１’）を観察した場合の効果を表したものである。図２１（ａ）は、本実施例の潜像印刷物（１’）を拡散反射光領域において視認できる画像を示したものであり、拡散反射光領域においては、第２の画像（５’）のみを観察することができる。また、図２１（ｂ）は、潜像印刷物（１’）を正反射光領域において視認することができる画像を示したものであり、正反射光領域においては、第１の画像（４’）と第２の画像（５’）の干渉によって生じた、「Ｊ」の文字から成るモアレ文字（６’ａ）と、「Ｐ」の文字から成るモアレ文字（６’ｂ）とによるモアレ画像（６’）が視認できる。
【００５９】
図２１（ｂ）に示すように、第１の画像（４’）の「Ｊ」及びミラー反転した「Ｐ」の文字が横方向に幅を引き伸ばされたように見えるのは、第２の画像（５’）と第１の画像（４’）の文字群の配置ピッチがわずかに異なることで、第２の画像（５’）によりサンプリングされて可視化される第１の画像（４’）の凹凸の位相が、わずかにずれることによって生じる効果による。
【００６０】
なお、拡散反射領域において視認されるモアレ文字（６’ａ、６’ｂ）の大きさやピッチは、第１の画像（４’）を形成する第１の要素のピッチと第２の画像（５’）を形成する第２の要素におけるピッチの差と大きさによって、調整することが可能である。
【００６１】
次に、観察角度を変えることによって、モアレ文字（６’ａ、６’ｂ）が動いて見える効果について説明する。図２２（ａ）に示すように、光源（Ｋ）から光の入射角度が変化することによって、第１の画像（４’）の「Ｊ」及びミラー反転した「Ｐ」の第１の要素（Ａ’１、Ｂ’１）の光る位置が変化するためである。また、図２２（ｂ）と図２２（ｃ）に示すように、大きな「Ｊ」の文字を成すモアレ文字（６’ａ）と、大きな「Ｐ」の文字を成すモアレ文字（６’ｂ）は、逆方向に動く。これは、第２の画像（５’）の画線の配置ピッチを基準とすると、第１の画像（４’）を形成する第１の領域（４’ａ）を形成する第１の要素（Ａ’１）の配置ピッチは小さく、第１−２の領域（４’ａ−２）を形成する第１の要素（Ａ’２）の配置ピッチは大きく設定しているためである。
【００６２】
なお、本実施例におけるモアレ画像（６’）のモアレ文字（６’ａ、６’ｂ）は、図２３（ａ）に示すように、それぞれの文字で遠近感が異なって見えるという効果も有している。具体的には、モアレ文字（６’ａ）は近くに見え、モアレ文字（６’ｂ）は遠くに見える。これは、図２３（ｂ）に示すように、右眼からモアレ画像（６’）を見る角度と左眼からモアレ画像（６’）を見る角度がわずかに異なるためである。基材（２’）を基準とした場合、右眼から見た「Ｊ」のモアレ文字（６’ａ）の結像位置は、基材（２’）より手前に結像するため、観察者の近くに存在しているように観察される。一方、左眼から見た「Ｐ」のモアレ文字（６’ｂ）の結像位置は、基材（２’）より奥に結像するため、観察者から遠くに存在しているように観察される。
【００６３】
以上のように、本実施例の潜像印刷物（１’）は、拡散反射光領域においては第２の画像のみを視認することができ、正反射光領域において第１の画像と第２の画像の干渉によって生じるモアレ模様で形成したモアレ文字を視認することができる。また、このモアレ文字は、観察角度をわずかに変化させることによって、モアレ文字自体が左右にスムーズに動いて見え、かつ、モアレ文字ごとに遠近感が異なるという効果を有する。
【実施例１】
【００６４】
最初に、すき入れによる凹形状から成る第１の要素により第１の画像（４’’）を形成し、スクリーン印刷による画線を第２の要素として第２の画像（５’’）を形成した潜像印刷物（１’’）について図２４により説明する。図２４（ａ）に示すように、潜像印刷物（１’’）は、肌色上質紙である基材（２’’）上に画像領域（３’’）を有している。画像領域（３’’）は、「Ｊ」の文字を第１の方向として水平方向に複数配置して形成した図２４（ｂ）に示す第１の画像（４’’）と、「桜」から成る図２４（ｃ）に示す第２の画像（５’’）を第１の画像（４’’）上に印刷して形成している。
【００６５】
図２５（ａ）に示すように、本実施例における第１の画像（４’’）は、第１の領域（４’’ａ）により形成した。図２５（ｂ）の拡大図に示すように、第１の領域（４’’ａ）は、第１の文字（Ｍ’’１）である「Ｊ」の文字を第１の方向として水平方向に同一の圧縮率により幅０．２５ｍｍ圧縮した「Ｊ」の文字を第１の要素（Ａ’’１）とし、深さ４０μｍのすき入れにより第１の方向と同一方向にピッチ０．５ｍｍで複数配列することにより形成した。
【００６６】
図２６（ａ）に示すように、第２の画像（５’’）は、「桜」から成る模様領域（５’’ａ）と、「桜」の周囲を形成した背景領域（５’’ｂ）から成る。図２６（ｂ）の拡大図に示すように、「桜」から成る模様領域（５’’ａ）は、画線ピッチ０．６ｍｍ、画線幅０．３５ｍｍの画線から成る第２の要素（Ｂ’’１）を使用し、第１の方向として垂直方向に第２の要素（Ｂ’’１）を複数配置して形成した。一方、背景領域（５’’ｂ）は、画線ピッチ０．６ｍｍ、画線幅０．２５ｍｍの画線から成る第２の要素（Ｂ’’２）を使用し、第１の方向として垂直方向に第２の要素（Ｂ’’２）を複数配置して形成した。この第２の画像（５’’）は、表１に示すインキをスクリーン印刷方式によって、図２７（ａ）に示すように、第１の画像（４’’）を形成する第１の要素（Ａ’’１）に対して平行に第２の画像（５’’）を印刷し、図２７（ｂ）に示す潜像印刷物（１’’）を得た。
【００６７】
【表１】
2010179581.tif 000003
【００６８】
図２８は、本実施例における潜像印刷物（１’’）の観察図である。図２８（ａ）は、拡散反射光領域において観察した場合に視認できる画像を示すものであり、本領域においては、第２の画像（５’’）のみを観察することができた。また、図２８（ｂ）は、正反射光領域において潜像印刷物（１’’）を観察した場合に視認することができる画像を示すものであり、本領域では、「Ｊ」のモアレ文字（６’’ａ）によるモアレ画像（６’’）のみを視認することができた。
【実施例２】
【００６９】
次に、スクリーン印刷による凸形状から成る第１の要素により第１の画像（４’’’）を形成し、スクリーン印刷による画線を第２の要素として第２の画像（５’’’）を形成した潜像印刷物（１’’’）について図２９により説明する。図２９（ａ）に示すように、潜像印刷物（１’’’）は、白色コート紙である基材（２’’’）上に画像領域（３’’’）を有している。画像領域（３’’’）は、図２９（ｂ）に示す第１の画像（４’’’）と、「縦縞模様」から成る図２９（ｃ）に示す第２の画像（５’’’）を第１の画像（４’’’）上に印刷して形成している。  
【００７０】
図３０に示す第１の画像（４’’’）は、「Ｊ」の文字から成る第１―１の領域（４’’’ａ−１）と、「Ｐ」の文字から成る第１−２の領域（４’’’ａ−２）から成っている。第１の領域（４’’’ａ）は、ピッチ０．６４ｍｍ，画線幅０．２５ｍｍ、画線高さ約１０μｍの凸形状の画線から成る第１の要素（Ａ’’’１）を使用し、第１の方向として垂直方向に第１の要素（Ａ’’’１）を複数配置して形成した「Ｊ」の文字から成る。第１−２の領域（４’’’ａ−２）は、ピッチ０．７６ｍｍ，画線幅０．２５ｍｍ、画線高さ約１０μｍの凸形状の画線から成る第１の要素（Ａ’’’２）を使用し、第１の方向と同一の方向に第１の要素（Ａ’’’２）を複数配置して形成した。また、第１−２の領域（４’’’ａ−２）は、第１の領域（４’’’ａ−１）対して垂直で、かつ、隣接して形成した。この第１の画像（４’’’）を白色コート紙である基材（２’’’）上にＵＶスクリーン印刷方式によって、透明なスクリーンインキ（ＵＶ硬化型レイキュアーＯＰ  十条ケミカル株式会社製）を用いて形成した。
【００７１】
図３１に示す第２の画像（５’’’）は、縦縞模様から成る。第２の画像（５’’’）である縦縞模様は、画線ピッチ０．７ｍｍの画線幅０．３５ｍｍの画線から成る第２の要素（Ｂ’’’１）を使用し、第１の方向として平行方向に第２の要素（Ｂ’’’１）を複数配置して形成した。図３２（ａ）に示すように、第２の画像（５’’’）は、第１の画像（４’’’）を形成する第１の要素（Ａ’’’１）に対して平行に第２の要素（Ｂ’’’１）を印刷した。なお、インキは、表２に示す無色パールインキを用いて、ＵＶ乾燥方式のスクリーン印刷によって図３２（ｂ）に示した潜像印刷物（１’’’）を得た。
【００７２】
【表２】
2010179581.tif 000004
【００７３】
図３３は、本実施例における潜像印刷物（１’’’）を観察した場合の効果を表したものである。図３３（ａ）は、本実施例の潜像印刷物（１’’’）を拡散反射光領域において視認することができる画像を示したものであり、拡散反射光領域においては、第２の画像（５’’’）のみを観察することができた。また、図３３（ｂ）は、本実施例における潜像印刷物（１’’’）を正反射光領域において視認することができる画像を示したものであり、正反射光領域においては、第１の画像（４’’’）と第２の画像（５’’’）の干渉によって生じた「Ｊ」の文字を成すモアレ文字（６ａ’’’）と、大きな「Ｐ」の文字を成すモアレ文字（６ｂ’’’）を視認することができた。
【００７４】
また、本実施例において、モアレ文字（６ａ’’’、６ｂ’’’）は、紙地の色である白から灰色となり、モアレ文字（６ａ’’’、６ｂ’’’）の周囲は、パールインキの干渉色である金色で可視化された。なお、本実施例においては、モアレ文字の間隔は約９５ｍｍ、文字の大きさは約４０ｍｍ程度の大きさとなった。
【実施例３】
【００７５】
次に、スクリーン印刷により基材上に凸形状の画線を第１の要素として第１の画像（４）を形成し、第２の画像（５）をオフセット印刷による画線を第２の要素として第１の画像（４）に印刷した潜像印刷物の例について説明する。
【００７６】
図３４に本発明の一実施例における潜像印刷物（１’’’’）を示す。図３４（ａ）に示すように、潜像印刷物（１’’’’）は、白色コート紙である基材（２’’’’）上に画像領域（３’’’’）を有している。画像領域（３’’’’）は、図３４（ｂ）に示す第１の画像（４’’’’）と、図３５（ｃ）に示す第２の画像（５’’’’）を第１の画像（４’’’’）上に印刷されて形成される。
【００７７】
図３４（ｂ）に示す第１の画像（４’’’’）は、実施例２において使用した第１の画像（４’’’）と同様であるため、異なる部分のみ説明する。第１の画像（４’’’’）は、「Ｊ」の文字から成る第１−１の領域と、「Ｐ」の文字から成る第１−２の領域から成っている。第１−１の領域は、ピッチ０．６４ｍｍ，画線幅０．２５ｍｍ、画線高さ約１０μｍの凸形状の画線から成る第１の要素を使用し、第１の方向として垂直方向に第１の要素を複数配置して形成した「Ｊ」の文字から成る。第１−２の領域は、ピッチ０．７６ｍｍ，画線幅０．２５ｍｍ、画線高さ約１０μｍの凸形状の画線から成る第１の要素を使用し、第１の方向に第１の要素を複数配置して形成した。なお、第１−２の領域は、第１−１の領域の垂直方向、かつ、隣接して配置した。この第１の画像（４’’’’）を白色コート紙である基材（２’’’’）上にＵＶスクリーン印刷方式によって、透明なスクリーンインキ（ＵＶ硬化型レイキュアーＯＰ  十条ケミカル株式会社製）を用いて形成した。
【００７８】
図３４（ｃ）に示す第２の画像（５’’’’）は、桜の花びらを構成する模様領域と、その周囲に形成した背景領域から成る。模様領域は、画線ピッチ０．５ｍｍの画線幅０．３０ｍｍの画線から成る第２の要素を使用し、第１の方向として垂直方向に第２の要素を複数配置して形成した。背景領域は、画線ピッチ０．５ｍｍの画線幅０．２０ｍｍの画線からなる第２の要素を使用し、第１の方向として垂直方向に第２の要素を複数配置して形成した。
【００７９】
図３５（ａ）に示すように、第２の画像は、第１の画像を形成する第１の要素に対して平行に第２の要素を印刷した。なお、インキは、金色の金属光沢インキ（Ｔ＆Ｋ  ＴＯＫＡ  社製  ＵＶ  ＮＯ３  シルバー）を使用し、オフセット印刷方式により第１の画像（４’’’’）上に第２の画像（５’’’’）を印刷して図３５（ｂ）に示した潜像印刷物（１’’’’）を得た。
【００８０】
図３６は、本実施例における潜像印刷物（１’’’’）を観察した場合の効果を表したものである。図３６（ａ）は、本実施例の潜像印刷物（１’’’’）を拡散反射光領域において視認することができる画像を示したものであり、拡散反射光領域においては、第２の画像（５’’’’）のみを観察することができた。また、図３６（ｂ）は、本実施例における潜像印刷物（１’’’’）を正反射光領域において視認することができる画像を示したものであり、正反射光領域においては、第１の画像（４’’’’）と第２の画像（５’’’’）の干渉によって生じた「Ｊ」の文字を成すモアレ文字（６ａ’’’’）と、大きな「Ｐ」の文字を成すモアレ文字（６ｂ’’’’）を視認することができた。
【００８１】
また、本実施例において、モアレ文字（６ａ’’’’、６ｂ’’’’）は、紙地の色である白から灰色となり、モアレ文字（６ａ’’’’、６ｂ’’’’）の周囲は、パールインキの干渉色である金色で可視化された。なお、本実施例においては、モアレ文字の間隔は約９５ｍｍ、文字の大きさは約４０ｍｍ程度の大きさと成った。
【符号の説明】
【００８２】
１，１’，１’’，１’’’，１’’’’          潜像印刷物
２，２’，２’’，２’’’，２’’’’          基材
３，３’，３’’，３’’’，３’’’’          画像領域
４，４’，４’’，４’’’，４’’’’          第１の画像
４ａ，４’’ａ，          第１の領域
４’ａ−１，４’’’ａ−１，          第１−１の領域
４’ａ−２，４’’’ａ−２，          第１−２の領域
５，５’，５’’，５’’’ ，５’’’’          第２の画像
５ａ，５’’ａ          模様領域
５ｂ，５’’ｂ          背景領域
６            モアレ画像
６ａ，６’ａ，６’’ａ，６’’’ａ，６’’’’ａ          モアレ文字
６’ｂ，６’’’ｂ，６’’’’ｂ          モアレ文字
７          第１の画像（４）と第２の画像（５）が重なった部分
８          視点
Ｋ          光源
Ａ          第１の要素
Ｍ          第１の文字
Ｂ          第２の要素
【図１】
2010179581.tif 000005
【図２】
2010179581.tif 000006
【図３】
2010179581.tif 000007
【図４】
2010179581.tif 000008
【図５】
2010179581.tif 000009
【図６】
2010179581.tif 000010
【図７】
2010179581.tif 000011
【図８】
2010179581.tif 000012
【図９】
2010179581.tif 000013
【図１０】
2010179581.tif 000014
【図１１】
2010179581.tif 000015
【図１２】
2010179581.tif 000016
【図１３】
2010179581.tif 000017
【図１４】
2010179581.tif 000018
【図１５】
2010179581.tif 000019
【図１６】
2010179581.tif 000020
【図１７】
2010179581.tif 000021
【図１８】
2010179581.tif 000022
【図１９】
2010179581.tif 000023
【図２０】
2010179581.tif 000024
【図２１】
2010179581.tif 000025
【図２２】
2010179581.tif 000026
【図２３】
2010179581.tif 000027
【図２４】
2010179581.tif 000028
【図２５】
2010179581.tif 000029
【図２６】
2010179581.tif 000030
【図２７】
2010179581.tif 000031
【図２８】
2010179581.tif 000032
【図２９】
2010179581.tif 000033
【図３０】
2010179581.tif 000034
【図３１】
2010179581.tif 000035
【図３２】
2010179581.tif 000036
【図３３】
2010179581.tif 000037
【図３４】
2010179581.tif 000038
【図３５】
2010179581.tif 000039
【図３６】
2010179581.tif 000040